(57)【要約】【課題】露光時間の短縮と検知精度の向上とを両立することが可能な放射線源可視化装置及び放射線源可視化方法を提供する。【解決手段】放射線源の分布を可視化する放射線源可視化装置１であって、複数の開口１００を所定の規則で配置させ、透過した放射線を符号化画像として再構成可能な開口アレイ１０１を基本パターンとし、複数の基本パターン１０１を隣接して配置させた、図２に示す符号化マスク１０と、前記符号化マスク１０を、放射線源Ｓに向けて配置した際に、前記符号化マスク１０を透過した放射線を光信号の符号化画像として検出する検出部１１と、前記符号化マスク１０における基本パターン１０１の配置形態に基づいて、前記検出された符号化画像を再構成することで、前記放射線源Ｓを含む放射線量の分布を算出する演算部１２と、前記算出された放射線量の分布を表示する表示部１２ｂと、を備える。【選択図】図１
2015087386.tif 000002
【特許請求の範囲】
【請求項１】
放射線源の分布を可視化する放射線源可視化装置であって、
複数の開口を所定の規則で配置させ、透過した放射線を符号化画像として再構成可能な開口アレイを基本パターンとし、第一の基本パターンの位置に対して第二の基本パターンの位置を開口のサイズを単位としてずらして複数の基本パターンを隣接して配置させた、図２に示す符号化マスクと、
前記符号化マスクを、放射線源に向けて配置した際に、前記符号化マスクを透過した放射線を光信号の符号化画像として検出する検出部と、
前記符号化マスクにおける基本パターンの配置形態に基づいて、前記検出された符号化画像を再構成することで、前記放射線源を含む放射線量の分布を算出する演算部と、
前記算出された放射線量の分布を表示する表示部と、
を備えることを特徴とする放射線源可視化装置。
【請求項２】
前記演算部は、前記検出された符号化画像に含まれる、前記基本パターンに対応する光信号の基本符号化画像を、前記基本パターンの配置形態に基づいて複数重ね合わせることで、当該基本符号化画像の各画素の強度を増強し、当該増強された基本符号化画像の画素の強度から推定される放射線量を各画素毎に配置することで、前記放射線量の分布を算出する
請求項１に記載の放射線源可視化装置。
【請求項３】
前記演算部は、前記配置された放射線量のうち、ユーザーにより設定された下限閾値以上の放射線量を抽出し、当該抽出した全ての放射線量を、放射線量が高い領域から放射線量が低い領域まで所定数の領域に区分し、当該区分された領域の境界を線で結んだ等高線を算出することで、前記放射線量の分布を算出する
請求項２に記載の放射線源可視化装置。
【請求項４】
前記符号化マスクと対面する放射線源を含む可視画像を撮影する撮影カメラを更に備え、
前記演算部は、前記符号化画像の実空間の位置と前記可視画像の実空間の位置とを対応させて、前記放射線量の分布と前記可視画像とを重ね合わせる処理を実行し、
前記表示部は、前記放射線量の分布が重ね合わされた可視画像を表示する
請求項１−３のいずれか一項に記載の放射線源可視化装置。
【請求項５】
前記可視画像の実空間の任意の位置にレーザーを照射し、当該照射された位置から本装置までの距離を測定可能なレーザー距離計を更に備え、
前記演算部は、前記放射線量の分布が重ね合わされた可視画像のうち、予め設定された基準放射線量以上の放射線量のある実空間の特定の位置に前記レーザー距離計のレーザーを照射させて、本装置から当該特定の位置までの距離を測定し、
前記表示部は、前記測定された距離を前記可視画像の特定の位置に表示する
請求項４に記載の放射線源可視化装置。
【請求項６】
放射線源の分布を可視化する放射線源可視化方法であって、
複数の開口を所定の規則で配置させ、透過した放射線を符号化画像として再構成可能な開口アレイを基本パターンとし、第一の基本パターンの位置に対して第二の基本パターンの位置を開口のサイズを単位としてずらして複数の基本パターンを隣接して配置させた、図２に示す符号化マスクを、放射線源に向けて設置するステップと、
前記符号化マスクを透過した放射線を光信号の符号化画像として検出するステップと、
前記符号化マスクにおける基本パターンの配置形態に基づいて、前記検出された符号化画像を再構成することで、前記放射線源を含む放射線量の分布を算出するステップと、
前記算出された放射線量の分布を表示するステップと、
を備えることを特徴とする放射線源可視化方法。
【発明の詳細な説明】
【技術分野】
【０００１】
本発明は、放射線源可視化装置及び放射線源可視化方法に関し、詳しくは、露光時間の短縮と検知精度の向上とを両立することが可能な放射線源可視化装置及び放射線源可視化方法に関する。
【背景技術】
【０００２】
従来より、ガンマ線源を遠く離れた位置から検出し、その分布状況を可視化する装置として、ピンホール方式を用いた放射線分布測定装置（以下、ガンマカメラと称する）が存在する。
【０００３】
このガンマカメラでは、基本的に、複数のピンホールをあけたアパーチャと、各ピンホールを透過する放射線を光信号として検出する検出器と、前記光信号に再構成処理を行って放射線源の分布に変換する変換器とを備えている。この変換器から出力される放射線源の分布をパーソナルコンピュータ等の端末装置の表示部に表示させることで、どのような位置にどの程度の放射線源が存在するかを一見して確認することが可能となる。
【０００４】
このガンマカメラは、例えば、原子力発電所等の放射線環境におけるメンテナンス作業、解体作業、検査作業、更には、除染作業に好適に使用されている。
【０００５】
しかしながら、従来のガンマカメラにおける再構成処理では、測定対象物と検出器との間の距離を無限大として処理しているため、放射線分布の検出精度が悪いという問題があった。
【０００６】
この問題を解決するために、特開平９−４３３５９号公報（特許文献１）には、放射線を遮蔽する材質からなる遮蔽板に多数のピンホールをあけたアパーチャと、このアパーチャのピンホールを透過する放射線を検出する２次元位置検出型の放射線検出器とを備える放射線分布測定装置が開示されている。この装置では、前記放射線検出器の信号計数及びその計数値に基づく分布の再構成処理を行なう再構成手段と、分布の結果を表示する表示装置とを備え、放射線源が存在する配管や機器、壁その他の構造物を測定対象として放射線の分布を測定する。更に、この装置では、測定対象物と放射線検出器との間の距離を計測する非接触方式の距離計と、この距離計で得られる距離の値をオンラインで計算機に入力できる手段とを備え、この距離の値に基づいて放射線分布の再構成を行う。これにより、検出器との間の距離が不明な対象物であっても、この距離計の距離の値を利用して、リアルタイムに精度よく再構成処理を行うことが可能となるとしている。
【０００７】
又、Ｘ線やγ線の可視化（画像化）については、符号化開口画像化法という手法が存在する。この符号化開口画像化法では、上述したピンホール方式と同じ原理を利用し、ピンホール（開口）を有するアパーチャの代わりに、小さいサイズの開口を所定の規則で複数配置させた符号化開口マスク（符号化マスクとも言う）を採用する。これにより、高い角度分解能と信号対雑音比とを得ることが出来る。
【０００８】
これに関連する技術として、例えば、特表２００８−５４２８６３号公報（特許文献２）には、検出器アレイおよび再構成可能な符号化開口マスク手段を備える符号化開口画像システムが開示されている。これにより、いかなる可動部又は大型の光学構成要素も必要とせずに、様々な視野にわたって様々な解像度で画像化を行うことが出来、監視で必要とされる可視、近赤外、熱赤外、又は紫外の波長帯における多機能の高解像度画像に適用することが出来るとしている。
【０００９】
一方、ガンマカメラに符号化開口マスクを用いて再構成処理を行う場合、性能が向上するものの、複数の開口を有しているために、同じ光信号から多種の再構成（復号化）が可能であり、偽の放射線源（デコードアーチファクト、ゴースト像）が現れてしまうという問題がある。
【００１０】
この問題を解決するために、特表２００８−５３７１３７号公報（特許文献３）には、符号化マスクを有するガンマカメラに関するデコードアーチファクトの発生を制限するデバイスが開示されている。このデバイスは、符号化マスクに対向し、且つ符号化マスクによって部分的に符号化される領域を見通す視野を有するガンマ線検出器と、ガンマ線を透過せず、且つ符号化マスクを基準にして検出器の反対側に配置される凹型部品とを備えている。そして、凹型部品は、検出器の視野の部分符号化領域を覆い隠し、且つ凹型部品の長さに渡って変化する厚さを有する構成とする。これにより、ガンマ光子は、ガンマ光子が視野の部分符号化領域と検出器との間のどの経路を取るかどうかに関係なく、材料の同じ厚さの部分によって阻止されるため、ガンマ線源の位置を精度高く特定することが出来るとしている。
【先行技術文献】
【特許文献】
【００１１】
【特許文献１】特開平９−４３３５９号公報
【特許文献２】特表２００８−５４２８６３号公報
【特許文献３】特表２００８−５３７１３７号公報
【発明の概要】
【発明が解決しようとする課題】
【００１２】
ここで、符号化マスクを用いたガンマカメラでは、所定の場所における測定対象物の撮影（可視化）に露光時間が数十分（例えば、４０分等）を要し、非常に時間がかかるという問題がある。又、符号化マスクを用いたガンマカメラでは、未だに偽の放射線源（偽像）が発生するという問題がある。この偽の放射線源は、例えば、地上から発せられる放射線が背景の雑音（ノイズ）となって現れる。このような問題に、前記特許文献１〜３に記載の技術では、十分に解決することが出来ない。
【００１３】
そこで、本発明は、前記問題を解決するためになされたものであり、露光時間の短縮と検知精度の向上とを両立することが可能な放射線源可視化装置及び放射線源可視化方法を提供することを目的とする。
【課題を解決するための手段】
【００１４】
本発明者は、鋭意研究を重ねた結果、本発明に係る新規な放射線源可視化装置及び放射線源可視化方法を完成させた。
【００１５】
即ち、本発明は、放射線源の分布を可視化する放射線源可視化装置であって、複数の開口を所定の規則で配置させ、透過した放射線を符号化画像として再構成可能な開口アレイを基本パターンとし、第一の基本パターンの位置に対して第二の基本パターンの位置を開口のサイズを単位としてずらして複数の基本パターンを隣接して配置させた、図２に示す符号化マスクと、前記符号化マスクを、放射線源に向けて配置した際に、前記符号化マスクを透過した放射線を光信号の符号化画像として検出する検出部と、前記符号化マスクにおける基本パターンの配置形態に基づいて、前記検出された符号化画像を再構成することで、前記放射線源を含む放射線量の分布を算出する演算部と、前記算出された放射線量の分布を表示する表示部と、を備えることを特徴とする。
【００１６】
又、前記演算部は、前記検出された符号化画像に含まれる、前記基本パターンに対応する光信号の基本符号化画像を、前記基本パターンの配置形態に基づいて重ね合わせることで、当該基本符号化画像の各画素の強度を増強し、当該増強された基本符号化画像の画素の強度から推定される放射線量を各画素毎に配置することで、前記放射線量の分布を算出する。又、前記演算部は、前記配置された放射線量のうち、ユーザーにより設定された下限閾値以上の放射線量を抽出し、当該抽出した全ての放射線量を、放射線量が高い領域から放射線量が低い領域まで所定数の領域に区分し、当該区分された領域の境界を線で結んだ等高線を算出することで、前記放射線量の分布を算出する。
【００１７】
又、前記符号化マスクと対面する放射線源を含む可視画像を撮影する撮影カメラを更に備え、前記演算部は、前記符号化画像の実空間の位置と前記可視画像の実空間の位置とを対応させて、前記放射線量の分布と前記可視画像とを重ね合わせる処理を実行し、前記表示部は、前記放射線量の分布が重ね合わされた可視画像を表示する。又、前記可視画像の実空間の任意の位置にレーザーを照射し、当該照射された位置から本装置までの距離を測定可能なレーザー距離計を更に備え、前記演算部は、前記放射線量の分布が重ね合わされた可視画像のうち、予め設定された基準放射線量以上の放射線量のある実空間の特定の位置に前記レーザー距離計のレーザーを照射させて、本装置から当該特定の位置までの距離を測定し、前記表示部は、前記測定された距離を前記可視画像の特定の位置に表示する。
【００１８】
又、本発明は、放射線源の分布を可視化する放射線源可視化方法であって、複数の開口を所定の規則で配置させ、透過した放射線を符号化画像として再構成可能な開口アレイを基本パターンとし、第一の基本パターンの位置に対して第二の基本パターンの位置を開口のサイズを単位としてずらして複数の基本パターンを隣接して配置させた、図２に示す符号化マスクを、放射線源に向けて設置するステップと、前記符号化マスクを透過した放射線を光信号の符号化画像として検出するステップと、前記符号化マスクにおける基本パターンの配置形態に基づいて、前記検出された符号化画像を再構成することで、前記放射線源を含む放射線量の分布を算出するステップと、前記算出された放射線量の分布を表示するステップと、を備えることを特徴とする。
【発明の効果】
【００１９】
本発明に係る放射線源可視化装置及び放射線源可視化方法は、露光時間の短縮と検知精度の向上とを両立することが可能となる。
【図面の簡単な説明】
【００２０】
【図１】本発明に係る放射線源可視化装置を示す概略図である。
【図２】本発明に係る特定の符号化マスクである。
【図３】本発明に係る特定の符号化マスクを示す概略図である。
【図４】本発明に係る特定の符号化マスクの基本パターンに適用される公知のパターンの例を示した図である。
【図５】本発明に係る放射線源可視化装置のブロック図と、本発明に係る放射線源可視化方法の実行手順を示すためのフローチャートである。
【図６】本発明に係るガンマ線用の放射線源可視化装置の実施例１の写真である。
【図７】実施例１、比較例１、２における検証実験の様子を示す写真である。
【図８】検証実験１の放射線源Ｓとの距離１０ｍと露光時間１０分において、実施例１で算出・表示された放射線量の分布を示す写真である。
【図９】検証実験１の放射線源Ｓとの距離１０ｍと露光時間１０分において、比較例１で算出・表示された放射線量の分布を示す写真である。
【図１０】検証実験１の放射線源Ｓとの距離５ｍと露光時間１０分において、実施例１で算出・表示された放射線量の分布を示す写真である。
【図１１】検証実験１の放射線源Ｓとの距離５ｍと露光時間１０分において、比較例１で算出・表示された放射線量の分布を示す写真である。
【図１２】検証実験１の放射線源Ｓとの距離５ｍと露光時間５分において、比較例２で算出・表示された放射線量の分布を示す写真である。
【図１３】検証実験２の放射線源Ｓとの距離５ｍと露光時間５分において、実施例１で算出・表示された放射線量の分布を示す写真である。
【図１４】検証実験２の放射線源Ｓとの距離５ｍと露光時間５分において、比較例１で算出・表示された放射線量の分布を示す写真である。
【図１５】検証実験２の放射線源Ｓとの距離５ｍと露光時間２０分において、比較例１で算出・表示された放射線量の分布を示す写真である。
【図１６】検証実験２の放射線源Ｓとの距離５ｍと露光時間５分において、比較例２で算出・表示された放射線量の分布を示す写真である。
【発明を実施するための形態】
【００２１】
以下に、添付図面を参照して、本発明に係る放射線源可視化装置及び放射線源可視化方法の実施形態について説明し、本発明の理解に供する。尚、以下の実施形態は、本発明を具体化した一例であって、本発明の技術的範囲を限定する性格のものではない。
【００２２】
＜放射線源可視化装置＞
本発明は、放射線源の分布を可視化する放射線源可視化装置１であって、図１に示すように、複数の開口１００を所定の規則で配置させ、透過した放射線を符号化画像として再構成可能な開口アレイ１０１を基本パターン（単位マスク）とし、第一の基本パターン１０１の位置に対して第二の基本パターン１０１の位置を開口１００のサイズを単位としてずらして複数の基本パターン１０１を隣接して配置させた、図２に示す符号化マスク１０と、前記符号化マスク１０を、放射線源に向けて配置した際に、前記符号化マスク１０を透過した放射線を光信号の符号化画像として検出する検出部１１と、前記符号化マスク１０における基本パターン１０１の配置形態に基づいて、前記検出された符号化画像を再構成（再構築、復号化）することで、前記放射線源Ｓを含む放射線量の分布を算出する演算部１２と、前記算出された放射線量の分布を表示する表示部１２ｂと、を備えることを特徴とする。これにより、露光時間の短縮と検知精度の向上とを両立することが可能となる。
【００２３】
即ち、放射線を遮るためのアパーチャである符号化マスク１０は、通常のピンホール（一つの開口）のマスクと比較して、前記規則を満たすために開口１００の数を多く有するため（マルチピンホール）、単位面積当たりの放射線の透過量は、多くなる。そのため、符号化マスク１０を透過した放射線に対応する光信号の強度は、当然に増加するため、露光時間を短縮することが可能となる。
【００２４】
針孔写真機の原理において、従来のピンホールのマスクでは、ピンホールを絞ることで、検出面に倒立して投影される符号化画像の像のぼやけを防止し、像の輪郭を鮮明にすることが出来るものの、前記ピンホールの絞りにより、入射される放射線量が少なくなり、強度のある符号化画像を得ることが出来ず、暗い符号化画像となるという問題がある。本発明では、複数のピンホール（針孔）を有する特徴的な符号化マスク１０を利用することで、十分な放射線量を得て、符号化画像の強度を高め、露光時間の短縮と検出精度の向上とを両立するのである。
【００２５】
又、符号化マスク１０には、第一の基本パターン１０１の位置に対して第二の基本パターン１０１の位置を開口１００のサイズを単位としてずらして複数の基本パターン１０１を配置しているため、当該符号化マスク１０を透過した放射線に対応する光信号の符号化画像には、当然に、前記基本パターン１０１に対応する光信号の基本符号化画像が複数繰り返して含まれることになる。そのため、符号化画像に含まれる複数の基本符号化画像を、前記基本パターン１０１の配置形態に基づいて適切に重ね合わせることで、当該基本符号化画像の各画素の強度（画素値等）を増強し、信号対雑音比を高めることが可能となる。そのため、光信号のパターンの信号対雑音比を高めるために必要となった露光時間を数分（例えば、３分から５分）に短縮することが可能となる。
【００２６】
又、基本パターン１０１の位置を開口１００のサイズを単位としてずらしているため、符号化画像に含まれる各基本符号化画像が乱れることなく重ね合わせることが可能となる。更に、このずれを設けることで、複数の基本符号化画像が、どの基本パターン１０１に対応するか識別することが出来る。そのため、このずれに対応して複数の基本符号化画像を重ね合わせることで、当該基本符号化画像が描写している放射線源Ｓの放射線量の分布の再構成と、偽の放射線源（偽像）の除去とを容易とする。従って、従来より精度高い放射線源Ｓの分布、分解能が高く鮮明な放射線画像（例えば、放射線がガンマ線であれば、ガンマ画像）を得ることが可能となるのである。
【００２７】
ここで、本発明の符号化マスク１０の構成は、図２に示す符号化マスクである。具体的には、図３に示すように、符号化マスク１０は、開口１００を正方形の孔とし、基本パターン１０１を、複数の開口１００を所定の規則（透過した放射線を符号化画像として再構成可能な特定の規則）で配置させた開口アレイとする。次に、基本パターン１０１を上下方向に二つ隣接して配置させたマスクを第一のマスク１０２（第一の基本パターン）とし、当該第一のマスク１０２に左右方向（例えば、右方向）に第一のマスク１０２と同等の第二のマスク１０３（第二の基本パターン）を隣接して配置させる。そして、当該配置させた第二のマスク１０３の位置を上下方向（例えば、上方向）に前記開口１００のサイズを単位として一の開口１００分だけずらして配置させる。すると、当該ずらした第二のマスク１０３には、第一のマスク１０２に対してはみ出る部分のマスク１０３ａ（上方向にはみ出た部分のマスク）と、マスクが無くなる部分１０３ｂ（下方向に無くなる部分）とが生じるため、このはみ出る部分のマスク１０３ａを、マスクが無くなった部分１０３ｂにずらした方向と逆方向に平行移動させることで、四つの基本パターン１０１を一つのパターンとし、図２に示す符号化マスクとすることが出来る。
【００２８】
又、開口１００のサイズは、本発明の目的を阻害しない限り、特に限定は無く、放射線の種類に応じて、適宜設計されるものの、例えば、放射線がガンマ線である場合に、開口１００のサイズは、５ｍｍ〜１０ｍｍの範囲内が好ましい。尚、図２に示す開口１００のサイズは、縦横８ｍｍの正方形の孔としている。
【００２９】
又、符号化マスク１０の基本パターン１０１の構成は、図４に示すように、公知の基本パターンを改良したものである。公知の基本パターンとして、例えば、ＵＲＡ（Ｕｎｉｆｏｒｍｌｙ  Ｒｅｄｕｎｄａｎｔ  Ａｒｒａｙ：均一冗長アレイ）の基本パターン、ＭＵＲＡ（Ｍｏｄｉｆｉｅｄ  ＵＲＡ：変形ＵＲＡ）の基本パターン、ＨＵＲＡ（Ｈｅｘａｇｏｎａｌ  ＵＲＡ：六角形ＵＲＡ）の基本パターン等を挙げることが出来る。
【００３０】
又、基本パターン１０１の形状は、本発明の目的を阻害しない限り、特に限定は無いが、例えば、図３に示すように、開口１００のサイズを単位とした正方形のパターンが好ましい。
【００３１】
又、基本パターン１０１を構成する規則は、ピンホールカメラの原理に基づいて算出される数学的な規則であり、図２に示す符号化マスクの基本パターンも数学的な規則に従っている。
【００３２】
又、基本パターン１０１のずれ分は、図３に示すように、所定の方向（例えば、上下方向）に対する一の開口１０１分である。
【００３３】
又、符号化マスク１０の全体形状は、図３に示すように、ずれ分に対してはみ出る部分のマスク１０３ａを、マスクが無くなる部分１０３ｂに移動させる。
【００３４】
又、符号化マスク１０のサイズは、本発明の目的を阻害しない限り、特に限定は無いが、放射線源Ｓがガンマ線源である場合に、ガンマ線に対応する符号化画像を生成するサイズが好ましい。又、符号化マスク１０の材質は、本発明の目的を阻害しない限り、特に限定は無いが、例えば、タングステン、タングステン系合金、銅、銅系合金、ステンレス鋼、鉛、鉛系合金等の材質を選択することが出来る。
【００３５】
尚、符号化マスク１０と検出部１１との配置形態は、例えば、符号化マスク１０が、放射線を遮蔽する遮蔽容器１１ａのうち、開口された一面に配置された場合は、検出部１１は、当該一面に対向する他面に配置され、当該符号化マスク１０を通過した放射線を受けるよう構成される。この遮蔽容器１１ａ全体が、測定装置を構成する。
【００３６】
又、遮蔽容器１１ａは、例えば、鉛、鉛系合金、タングステン、タングステン系合金、銅、銅系合金、ステンレス鋼等の放射線を遮蔽する材質で構成されると好ましいが、これらの材質は装置全体の重量を重くすることから、適宜、放射線を弱く遮蔽する材質にしたり、地面に対面する面のみ遮蔽材質にしたりして、他の面を通常材質にして、装置全体の重量を軽量化しても良い。
【００３７】
又、検出部１１の構成は、本発明の目的を阻害しない限り、特に限定は無いが、例えば、シンチレータと、光電陰極と、イメージ増強管と、電荷結合素子（ＣＣＤ）とを備える。このシンチレータは、符号化マスク１０を介して放射線源Ｓから放出される放射線の光子を受信し、当該放射線を光信号に変換する。このシンチレータの材料として、放射線がガンマ線である場合に、例えば、ヨウ化ナトリウム（ＮａＩ）、タリウム活性化ヨウ化ナトリウム（ＮａＩ（Ｔｌ）、ＴＩ添加ＮａＩ）、ヨウ化セシウム（ＣｓＩ）、タリウム活性化ヨウ化セシウム（ＣｓＩ（ＴＩ）、ＴＩ添加ＣｓＩ）、ナトリウム活性化ヨウ化セシウム（ＣｓＩ（Ｎａ）、Ｎａ添加ＣｓＩ）、テルル化カドミウム（ＣｄＴｅ）、テルル化亜鉛カドミウム（ＣｄＺｎＴｅ、Ｚｎ添加ＣｄＴｅ、ＣＺＴ）、フッ化セリウム（ＣｅＦ３）、フッ化バリウム（ＢａＦ２）、フッ化鉛（ＰｂＦ２）、ユーロピウム活性化ヨウ化リチウム（ＬｉＩ（Ｅｕ）、Ｅｕ添加ＬｉＩ）、タングステン酸鉛（ＰｂＷＯ４）、ケイ酸ガドリニウム（ＧＳＯ、Ｃｅ添加Ｇｄ２ＳｉＯ５）、ゲルマニウム酸ビスマス（ＢＧＯ、Ｂｉ４Ｇｅ３Ｏ１２）、ケイ酸ルテチウム（ＬＧＯ、Ｃｅ添加Ｌｕ２ＳｉＯ５)、ＬＹＳＯ（Ｃｅｒｉｕｍ  ｄｏｐｅｄ  Ｌｕｔｅｔｉｕｍ  Ｙｔｔｒｉｕｍ  Ｏｒｔｈｏｓｉｌｉｃａｔｅ、Ｌｕ（２−ｘ）ＹｘＳｉＯ５:Ｃｅ）、ＬＧＳＯ（（Ｌｕ、Ｇｄ）２ＳｉＯ５）、コランダム（Ａｌ２Ｏ３（ルビー)）、シリコン半導体等を挙げることが出来る。又、光電陰極は、変換された光信号を電気信号に変換し、イメージ増強管は、当該電気信号を増幅して、電荷結合素子は、所定数のピクセルから構成され、当該増幅された電気信号を二次元の符号化画像として生成して検出する。
【００３８】
又、検出部１１と演算部１２との接続は、本発明の目的を阻害しない限り、特に限定は無く、通信可能な接続であれば、有線接続でも無線接続でも構わない。
【００３９】
又、演算部１２の構成は、本発明の目的を阻害しない限り、特に限定は無いが、例えば、パーソナルコンピュータ、ノートパソコン、タブレット型コンピュータ、携帯端末装置等の解析装置１２ａを採用することが出来る。この解析装置１２ａには、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、必要に応じて、ＨＤＤ（Ｈａｒｄ  Ｄｉｓｋ  Ｄｒｉｖｅ）等を備えており、ＣＰＵは、例えば、ＲＡＭを作業領域として利用し、前記基本パターン１０１の配置形態に対応する所定の再構成プログラムをＲＯＭ等から読み取って、当該再構成プログラムを実行することで、前記検出された符号化画像を再構成する。
【００４０】
又、演算部１２が符号化画像を再構成する方法は、本発明の目的を阻害しない限り、特に限定は無い。基本的に、針孔に入射する放射線量を絞り、検出面上に投影される符号化画像を得る針孔写真機の再構成の方法を採用する。演算部１２が、前記検出された符号化画像に含まれる、前記基本パターン１０１に対応する光信号の基本符号化画像を、（前記符号化マスク１０における）前記基本パターン１０１の配置形態に基づいて複数重ね合わせることで、当該基本符号化画像の各画素の強度を増強し、当該増強された基本符号化画像の画素の強度から推定される放射線量を各画素毎に配置することで、前記放射線量の分布を算出する。図２に示す符号化マスク１０であれば、４つの基本パターン１０１が存在するため、４つの基本符号化画像が前記検出された符号化画像に実質的に含まれることになり、当該４つの基本符号化画像を全て重ね合わせることで、各画素の強度が増強した基本符号化画像を一つ生成することが出来る。これにより、放射線源Ｓに対する感度を高め、分解能を向上させ、偽像の発生を防止し、露光時間の短縮と検出精度の向上とを両立できる。
【００４１】
又、演算部１２は、前記放射線量の分布を算出する方法は、本発明の目的を阻害しない限り、特に限定は無い。演算部１２は、例えば、前記配置された放射線量のうち、ユーザーにより設定された下限閾値以上の放射線量を抽出し、当該抽出した全ての放射線量を、放射線量が高い領域から放射線量が低い領域まで所定数の領域に区分し、当該区分された領域の境界を線で結んだ等高線を算出することで、前記放射線量の分布を算出する。これにより、ユーザーが設定可能な下限閾値を、前記放射線量の分布に反映させることが出来るため、前記放射線源Ｓの放射線量の大きさ（強弱）に応じて、当該放射線量の分布の表示を変更させ、放射線源Ｓを明確に表示させることが出来る。例えば、測定対象物にある放射線源Ｓの放射線量が高い場合には、ユーザーが下限閾値を高めに設定することで、地上から発せられる微弱な放射線量（偽の放射線源）を、前記放射線量の分布の対象外にし、放射線量が高い放射線源Ｓの放射線量の分布を際立たせて表示させることが出来る。一方、測定対象物にある放射線源Ｓの放射線量が低い場合には、ユーザーが下限閾値を低めに設定することで、地上からの微弱な放射線も、前記放射線量の分布の対象に含まれるものの、放射線量が低い放射線源Ｓの存在も明確に表示させることが出来る。
【００４２】
又、演算部１２には、例えば、前記再構成の結果である放射線源Ｓの分布を表示する表示部１２ｂを更に設けるよう構成すると、ユーザーは、リアルタイムに放射線源Ｓの分布を確認することが可能となる。
【００４３】
又、検出部１１には、符号化マスクと対面する放射線源を含む可視画像を撮影する撮影カメラ１１ｂを更に設け、演算部１２が、符号化画像の実空間の位置と可視画像の実空間の位置とを対応させて、前記放射線量の分布と可視画像とを重ね合わせる処理を実行し、表示部１２ｂが、前記放射線量の分布が重ね合わされた可視画像を表示するよう構成してもよい。これにより、ユーザーは、現実に見える可視画像のどの位置に放射線量が広がって放射線源Ｓが存在するか一見して確認することが可能となる。この撮影カメラ１１ｂは、符号化画像の実空間の位置と可視画像の実空間の位置が対応し得る遮蔽容器１１ａの位置であれば、どの位置に備えられても良いが、例えば、遮蔽容器１１ａの上面に設置される。
【００４４】
又、検出部１１に、前記可視画像の実空間の任意の位置にレーザーを照射し、当該照射された位置から本装置１（検出部１１）までの距離を測定可能なレーザー距離計を更に備え、前記演算部１２は、前記放射線量の分布が重ね合わされた可視画像のうち、予め設定された基準放射線量以上の放射線量のある特定の位置に前記レーザー距離計のレーザーを照射させて、本装置１から当該特定の位置までの距離を測定し、前記表示部１２ｂは、前記測定された距離を前記可視画像の特定の位置に表示しても良い。これにより、本装置１で放射線源Ｓを特定した際に、ユーザーは、当該放射線源Ｓのある特定の位置までの距離を知ることが可能となる。ここで、放射性物質が集中している放射線源Ｓをホットスポットと称する場合があるが、このホットスポットは、１ｍの高さにおける空間放射線量率が背景（周囲）よりも１μＳｖ／ｈ高い放射線源を意味する。本装置１で、ホットスポットを検索する場合、例えば、前記基準放射線量を１μＳｖ／ｈと設定すれば、特定の位置はホットスポットに対応するから、上述の構成で、ホットスポットまでの距離を簡単に知ることが可能となる。
【００４５】
又、放射線源Ｓの放射線量の分布に対応する測定対象物は、本発明の目的を阻害しない限り、特に限定は無く、例えば、機器の配管等の周辺部材、山地、海岸等を挙げることが出来る。
【００４６】
又、演算部１２を有する解析装置１２ａは、更に、ＧＰＳ機能を備え、演算部１２が、前記放射線量の分布を算出すると、当該分布のデータに対してＧＰＳ機能による位置情報を付与するよう構成しても良い。又、演算部１２を有する解析装置１２ａは、更に、測定場所の温度、湿度等の環境情報を検出する環境情報検知センサーを備え、演算部１２が、前記分布のデータに対して環境情報検知センサーによる環境情報を付与するよう構成しても良い。
【００４７】
＜放射線源可視化方法＞
次に、図５を参照しながら、本発明に係る放射線源可視化装置の機能ブロック図及び本発明に係る放射線源可視化方法の実行手順について説明する。
【００４８】
先ず、図５に示すように、ユーザーが、放射線源Ｓを含む測定対象物に、測定装置１１ａの符号化マスク１０を向けて配置し、当該符号化マスク１０を、放射線源Ｓから発信される放射線のアパーチャとして設置する（図５：Ｓ１０１）。
【００４９】
ここで、前記符号化マスク１０は、上述したように、複数の開口１００を所定の規則で配置させ、透過した放射線を符号化画像として再構成可能な開口アレイ１０１を基本パターンとし、第一の基本パターン１０１の位置に対して第二の基本パターン１０１の位置を開口１００のサイズを単位としてずらして複数の基本パターン１０１を隣接して配置させた、図２に示すマスクである。
【００５０】
次に、ユーザーは、測定装置１１ａに通信可能に接続された解析装置１２ａに電源を投入し、当該解析装置１２ａのインターフェイス（例えば、キーボードキー等）を用いて、測定開始信号を入力すると（図５：Ｓ１０２ＹＥＳ）、当該解析装置１２ａが、当該測定開始信号を受けて、測定装置１１ａの検出部１１を起動する。これにより、検出部１１は、放射線の光信号を検出可能となる。
【００５１】
さて、前記検出部１１は、符号化マスク１０を放射線源Ｓに向けていることで、当該符号化マスク１０を透過した放射線を光信号の符号化画像として検出する（図５：Ｓ１０３）。ここで、上述のように、図２に示す符号化マスク１０を用いることで、露光時間を数分にしても、十分な信号対雑音比を有する符号化信号を得ることが可能となる。この検出された符号化画像は、測定装置１１ａから解析装置１２ａへ送信される。
【００５２】
前記解析装置１２ａの演算部１２は、前記検出部１１からの符号化画像を受信すると、前記符号化マスク１０における基本パターン１０１の配置形態に基づいて、前記検出された符号化画像を再構成することで、前記放射線源Ｓを含む放射線量の分布を算出する（図５：Ｓ１０４）。ここで、上述のように、図２に示す符号化マスク１０を用いることで、精度高い放射線源Ｓの分布を得ることが可能となる。
【００５３】
前記演算部１２は、前記算出した放射線量の分布を放射線画像として表示部１２ｂに送信し、当該表示部１２ｂは、例えば、液晶ディスプレイ等を介して表示する（図５：Ｓ１０５）。これにより、ユーザーは、短時間に解像度の高い放射線画像を確認し、測定対象物に存在する放射線源Ｓを容易に認識することが可能となる。
【００５４】
＜実施例、比較例等＞
以下、実施例、比較例等によって本発明を具体的に説明するが、本発明はこれに限定されるものではない。
【００５５】
＜実施例１＞
図１、図２に示すガンマ線用の放射線源可視化装置を作成し、図６に示すガンマ線用の放射線源可視化装置を実施例１とした。尚、検出部１１は、ＣｓＩ（Ｔｌ）結晶をシンチレータとし、光電子増倍管とを組み合わせた。符号化マスク１０は、図２に示すタングステン製の符号化マスクをコリメータとした。放射線源可視化装置１の視野角は約６０度であり、画素数は８×８ピクセルを内挿補完して７０×７０=４９００数とし、検出感度は、９００ｃｐｓ／μＳｖ／ｈとし、測定時間はガンマ線源の強度とガンマ線源との距離によるものの３分から１０分とし、測定範囲は０．０４μＳｖ／ｈ〜３０．００μＳｖ／ｈとした。又、撮影カメラ１１ｂの表示解像度は１２４０×７６８とし、視野角は約６０度として、検出部１１に対応させた。又、放射線源可視化装置１の寸法は２７５ｍｍ×２０４ｍｍ×２９０ｍｍとし、重量は２０ｋｇ以下とし、電源はリチウム電池を利用し、電池駆動時間は２０時間以上（全充電時）、充電時間は８時間以下（主電源入力の場合）である。
＜比較例１、２＞
従来のピンホール型のガンマカメラを比較例１とし、コンプトン散乱を利用したコンプトンカメラを比較例２とした。
【００５６】
＜検証実験１＞
福島県の所定の敷地で、背景の空間線量率が１．５μＳｖ／ｈを示す場所において、ホットスポットが存在する領域を選択し、そこを測定対象物の放射線源Ｓにして、図７に示すように、実施例１のガンマ線用の放射線源可視化装置と、比較例１のピンホール型のガンマカメラと、比較例２のコンプトンカメラとを設置した。放射線源Ｓから装置までの距離と、放射線源Ｓへの露光時間（撮影時間）とを同等とした上で、実施例１、比較例１、２で得られる放射線量の分布を比較した。
【００５７】
＜検証結果１＞
先ず、放射線源Ｓとの距離を１０ｍとし、露光時間を１０分として、実施例１、比較例１で放射線量の分布を算出（撮影）・表示させてみた。その結果、実施例１では、図８に示すように、ホットスポットである放射線量が高い領域が狭く限定されており、ホットスポットが２つ存在し、２つのホットスポットがどこに存在するのか明確に分かることが理解される。一方、比較例１では、図９に示すように、放射線量が高い領域が広がっており、２つのホットスポットの存在位置が広範囲に表示されていることが理解される。
【００５８】
次に、上述と同じ場所で、放射線源Ｓとの距離を５ｍとし、露光時間を１０分として、実施例１、比較例１で放射線量の分布を算出・表示させてみた。又、比較例２では、検証結果１と同じ場所で、放射線源Ｓとの距離を５ｍとし、露光時間を５分として、放射線量の分布を算出・表示させてみた。その結果、実施例１では、図１０に示すように、放射線量が高い領域が更に狭く限定されており、２つのホットスポットの存在位置が明確に分かることが理解される。一方、比較例１では、図１１に示すように、２つのホットスポットのうち、１つのホットスポット（放射線量が高い領域）が大きく広がっており、もう１つのホットスポットが小さくなり、２つのホットスポットの存在位置が広範囲に表示されていることが理解される。又、比較例２では、図１２に示すように、２つ以上のホットスポットの存在が確認される。実施例１、比較例１の結果を考慮すると、３つ目からのホットスポットは、背景からの放射線量による偽像と考えられる。尚、実施例１により、２つのホットスポットに、放射性セシウムのセシウム１３７が１３ＭＢｑだけ含まれ、放射性セシウムのセシウム１３４が６ＭＢｑだけ含まれていると測定された。
【００５９】
＜検証実験２＞
福島県の既に除染を終えている敷地で、背景の放射線量が０．４μＳｖ／ｈの駐車場で、２ＭＢｑのセシウム１３７の密封標準放射線源を道路標識のロードコーンの下付近に置き、そこを測定対象物の放射線源Ｓにして、上述と同様に、実施例１、比較例１、比較例２の装置を設置し、放射線源Ｓから装置までの距離と、放射線源Ｓへの露光時間を同等とした上で、実施例１、比較例１、２で得られる放射線量の分布を比較した。
【００６０】
＜検証結果２＞
先ず、放射線源Ｓとの距離を５ｍとし、露光時間を５分として、実施例１、比較例１、比較例２で放射線量の分布を算出・表示させてみた。その結果、実施例１では、図１３に示すように、ロードコーンの下付近に放射線量が高い領域が狭く表示されており、密封標準放射線源の位置が明確に分かることが理解される。一方、比較例１では、図１４に示すように、放射線量が高い領域が、ロードコーンの下付近に集中せず、ロードコーンの上方まで広がっているとともに、ロードコーンの上方（空）に、別の放射線量が高い領域が発生していることが理解される。この領域は偽像と判断する。そこで、比較例１では、同一の場所で、露光時間を更に１５分延長して、露光時間を２０分として、放射線量の分布を算出・表示させてみると、図１５に示すように、先ほど発生していた偽像は聊か弱く表示されたものの、露光時間を長くしても偽像が残存してしまうことが理解される。又、比較性２では、図１６に示すように、放射線量が高い領域が、ロードコーンの下付近に集中せず、ロードコーンの上方まで広がっているとともに、比較例１と同様に、ロードコーンの上方に偽像が発生していることが理解される。
【００６１】
このように、実施例１は、比較例１、２と比較して、放射線源Ｓの感度、検出精度、分解能に優れ、偽像の問題も解消して、放射線量の分布を正確に表示させることが可能となる。特に、実施例１では、これまで除染作業で取り残され、見逃されていたホットスポットでも容易に見つけることが出来る。実施例１は、例えば、除染の現場において、ホットスポットの位置と放射線量の大きさを特定するのに、極めて有用であることが理解される。
【００６２】
このように、本発明は、放射線源の分布を可視化する放射線源可視化装置１であって、図２に示す符号化マスク１０と、検出部１１と、演算部１２と、表示部１２ｂと、を備えることを特徴とする。これにより、露光時間の短縮と検知精度の向上とを両立することが可能となる。又、本発明の放射線源可視化方法であっても、同様の作用効果を得ることが可能となる。
【００６３】
上述の実施例１（ガンマ線用の放射線源可視化装置１）において、例えば、Ｘ線の放射線量を検出するＸ線検出器を更に備えるように構成すれば、コンクリートやアスファルトの表面において、ヒビ等の微細な隙間に集約された放射線源（放射性セシウム）が存在するか否かを、ガンマ線とＸ線との併用で確認することが可能となる。
【００６４】
又、上述の実施例１（ガンマ線用の放射線源可視化装置１）を無線操縦によるヘリコプター等の飛行体に乗せれば、空から放射線源（放射性セシウム）の放射線量の分布の地図を作成することが出来る。これまで、住宅地に隣接する山林では、２次元的な表面地図が殆どであり、例えば、除染作業において、放射線量の分布を３次元的に表示した地図の必要性があった。上述の実施例１では、露光時間の短縮と検知精度の向上の両立により、飛行体への組み込みで、３次元的な放射線量の分布の地図も作成することが可能になる。
【００６５】
尚、飛行体に上述のガンマ線用の放射線源可視化装置１を搭載する場合、飛行体への重量制限（ペイロード）を考慮すると、実施例１において、地上に対面する遮蔽容器１１ａの面（底面）以外の面（側面、平面等）の遮蔽材質を削除し、地上に対面する遮蔽容器１１ａの面のみを遮蔽材質とすることで、装置全体の重量を軽量化すれば良い。
【００６６】
又、上述のガンマ線用の放射線源可視化装置１において、検出部１１を、テルル化カドミウム（ＣｄＴｅ）又はテルル化亜鉛カドミウム（ＣＺＴ）等の半導体結晶に設計して、放射線量の分布のガンマ線スペクトルを解析するよう構成すれば、放射線源Ｓの核種を同定することが可能となる。
【００６７】
又、上述のガンマ線用の放射線源可視化装置１は、上述のように、除染作業は、もちろん、原子力発電所内のオンサイトの廃炉作業における汚染源箇所の特定や、原発立地自治体のオフサイトの事故作業における汚染源箇所の特定、アイソトープ等の放射線源Ｓの搬送や放射線源を利用した核テロにおける事故作業における汚染源箇所の特定にも利用することが出来る。
【００６８】
尚、本発明の実施形態では、放射線としてガンマ線を想定したが、Ｘ線であっても同様である。
【産業上の利用可能性】
【００６９】
以上のように、本発明に係る放射線源可視化装置及び放射線源可視化方法は、原子力分野、医療分野、衛生分野、食品分野、農業分野、漁業分野、鉱業分野、航空分野、宇宙分野等のあらゆる分野における放射線源の可視化の手段として有効であり、露光時間の短縮と検知精度の向上とを両立することが可能な放射線源可視化装置及び放射線源可視化方法として有効である。
【符号の説明】
【００７０】
１  放射線源可視化装置
１０  符号化マスク
１１  検出部
１２  演算部
１２ｂ  表示部
Ｓ  放射線源
【図１】
2015087386.tif 000003
【図２】
2015087386.tif 000004
【図３】
2015087386.tif 000005
【図４】
2015087386.tif 000006
【図５】
2015087386.tif 000007
【図６】
2015087386.tif 000008
【図７】
2015087386.tif 000009
【図８】
2015087386.tif 000010
【図９】
2015087386.tif 000011
【図１０】
2015087386.tif 000012
【図１１】
2015087386.tif 000013
【図１２】
2015087386.tif 000014
【図１３】
2015087386.tif 000015
【図１４】
2015087386.tif 000016
【図１５】
2015087386.tif 000017
【図１６】
2015087386.tif 000018
【手続補正書】
【提出日】平成26年11月24日(2014.11.24)
【手続補正１】
【補正対象書類名】特許請求の範囲
【補正対象項目名】全文
【補正方法】変更
【補正の内容】
【特許請求の範囲】
【請求項１】
放射線源の分布を可視化する放射線源可視化装置であって、
複数の開口を所定の規則で配置させ、透過した放射線を符号化画像として再構成可能な開口アレイを基本パターンとし、当該基本パターンが四つで、縦に二つ横に二つ配置される構成であって、基本パターンを上下方向に二つ隣接して配置させたマスクを第一のマスクとし、当該第一のマスクの右方向に、前記第一のマスクと同等の第二のマスクを隣接して配置させ、前記第一のマスクに対して、上から見たときに前記第二のマスクを開口サイズを単位として一つ上側にずらし、当該ずらした第二のマスクにおいて前記第一のマスクに対して上方向にはみ出た部分のマスクを、前記第二のマスクにおいて前記第一のマスクに対して下方向にマスクが無くなった部分に配置させることで構成される符号化マスクと、
前記符号化マスクを、放射線源に向けて配置した際に、前記符号化マスクを透過した放射線を光信号の符号化画像として検出する検出部と、
前記検出された符号化画像に含まれる、前記基本パターンに対応する光信号の基本符号化画像を、前記基本パターンの配置形態に基づいて複数重ね合わせることで、当該基本符号化画像の各画素の強度を増強し、当該増強された基本符号化画像の画素の強度から推定される放射線量を各画素毎に配置することで、前記放射線源を含む放射線量の分布を算出する演算部と、
前記算出された放射線量の分布を表示する表示部と、
を備えることを特徴とする放射線源可視化装置。
【請求項２】
放射線源の分布を可視化する放射線源可視化方法であって、
複数の開口を所定の規則で配置させ、透過した放射線を符号化画像として再構成可能な開口アレイを基本パターンとし、当該基本パターンが四つで、縦に二つ横に二つ配置される構成であって、基本パターンを上下方向に二つ隣接して配置させたマスクを第一のマスクとし、当該第一のマスクの右方向に、前記第一のマスクと同等の第二のマスクを隣接して配置させ、前記第一のマスクに対して、上から見たときに前記第二のマスクを開口サイズを単位として一つ上側にずらし、当該ずらした第二のマスクにおいて前記第一のマスクに対して上方向にはみ出た部分のマスクを、前記第二のマスクにおいて前記第一のマスクに対して下方向にマスクが無くなった部分に配置させることで構成される符号化マスクを、放射線源に向けて設置するステップと、
前記符号化マスクを透過した放射線を光信号の符号化画像として検出するステップと、
前記検出された符号化画像に含まれる、前記基本パターンに対応する光信号の基本符号化画像を、前記基本パターンの配置形態に基づいて複数重ね合わせることで、当該基本符号化画像の各画素の強度を増強し、当該増強された基本符号化画像の画素の強度から推定される放射線量を各画素毎に配置することで、前記放射線源を含む放射線量の分布を算出するステップと、
前記算出された放射線量の分布を表示するステップと、
を備えることを特徴とする放射線源可視化方法。
【手続補正２】
【補正対象書類名】明細書
【補正対象項目名】００１５
【補正方法】変更
【補正の内容】
【００１５】
即ち、本発明は、放射線源の分布を可視化する放射線源可視化装置であって、複数の開口を所定の規則で配置させ、透過した放射線を符号化画像として再構成可能な開口アレイを基本パターンとし、当該基本パターンが四つで、縦に二つ横に二つ配置される構成であって、基本パターンを上下方向に二つ隣接して配置させたマスクを第一のマスクとし、当該第一のマスクの右方向に、前記第一のマスクと同等の第二のマスクを隣接して配置させ、前記第一のマスクに対して、上から見たときに前記第二のマスクを開口サイズを単位として一つ上側にずらし、当該ずらした第二のマスクにおいて前記第一のマスクに対して上方向にはみ出た部分のマスクを、前記第二のマスクにおいて前記第一のマスクに対して下方向にマスクが無くなった部分に配置させることで構成される符号化マスクと、前記符号化マスクを、放射線源に向けて配置した際に、前記符号化マスクを透過した放射線を光信号の符号化画像として検出する検出部と、前記検出された符号化画像に含まれる、前記基本パターンに対応する光信号の基本符号化画像を、前記基本パターンの配置形態に基づいて複数重ね合わせることで、当該基本符号化画像の各画素の強度を増強し、当該増強された基本符号化画像の画素の強度から推定される放射線量を各画素毎に配置することで、前記放射線源を含む放射線量の分布を算出する演算部と、前記算出された放射線量の分布を表示する表示部と、を備えることを特徴とする。
【手続補正３】
【補正対象書類名】明細書
【補正対象項目名】００１６
【補正方法】変更
【補正の内容】
【００１６】
又、前記演算部は、前記配置された放射線量のうち、ユーザーにより設定された下限閾値以上の放射線量を抽出し、当該抽出した全ての放射線量を、放射線量が高い領域から放射線量が低い領域まで所定数の領域に区分し、当該区分された領域の境界を線で結んだ等高線を算出することで、前記放射線量の分布を算出する。
【手続補正４】
【補正対象書類名】明細書
【補正対象項目名】００１８
【補正方法】変更
【補正の内容】
【００１８】
又、本発明は、放射線源の分布を可視化する放射線源可視化方法であって、複数の開口を所定の規則で配置させ、透過した放射線を符号化画像として再構成可能な開口アレイを基本パターンとし、当該基本パターンが四つで、縦に二つ横に二つ配置される構成であって、基本パターンを上下方向に二つ隣接して配置させたマスクを第一のマスクとし、当該第一のマスクの右方向に、前記第一のマスクと同等の第二のマスクを隣接して配置させ、前記第一のマスクに対して、上から見たときに前記第二のマスクを開口サイズを単位として一つ上側にずらし、当該ずらした第二のマスクにおいて前記第一のマスクに対して上方向にはみ出た部分のマスクを、前記第二のマスクにおいて前記第一のマスクに対して下方向にマスクが無くなった部分に配置させることで構成される符号化マスクを、放射線源に向けて設置するステップと、前記符号化マスクを透過した放射線を光信号の符号化画像として検出するステップと、前記検出された符号化画像に含まれる、前記基本パターンに対応する光信号の基本符号化画像を、前記基本パターンの配置形態に基づいて複数重ね合わせることで、当該基本符号化画像の各画素の強度を増強し、当該増強された基本符号化画像の画素の強度から推定される放射線量を各画素毎に配置することで、前記放射線源を含む放射線量の分布を算出するステップと、前記算出された放射線量の分布を表示するステップと、を備えることを特徴とする。